(57)【要約】【課題】  接着剤の塗布がしやすく、一定の施工品質を有する実接着構造を実現可能とする床材の施工方法を提供すること。【解決手段】  本実施例の施工方法は、長板状の床材３に設けられた実どうしを接着接合する実接着施工用床材の施工方法において、床材３の長手方向の雌実３１を上側に向け、床材３の表面又は裏面の平面を合わせ複数枚重ね、平面側に全体を傾斜させた状態でこれら床材３を保持し、次いで雌実３１に接着剤４を塗布している。【選択図】図１
2006118284.tif 000002
【特許請求の範囲】
【請求項１】
長板状の床材に設けられた実どうしを接着接合する実接着施工用床材の施工方法において、床材の長手方向の雌実を上側に向け、床材の表面又は裏面の平面を合わせ複数枚重ね、平面側に全体を傾斜させた状態でこれら床材を保持し、次いで雌実に接着剤を塗布し、隣接床材に実どうしを接着接合することを特徴とする床材の施工方法。
【請求項２】
接着剤の塗布部位を、雌実の内壁のうち、上方に向いている側の内壁としたことを特徴とする請求項１記載の床材の施工方法。
【請求項３】
接着剤の塗布部位を、雌実の内壁のうち、下方に向いている側の内壁としたことを特徴とする請求項１記載の床材の施工方法。
【請求項４】
接着剤の塗布後、床材を反対側に傾斜させることを特徴とする請求項１から請求項３のいずれか一つに記載の床材の施工方法。
【請求項５】
接着剤の塗布時に、接着剤が充填された接着容器の先端塗布口側面を、雌実の先端部分に当接させながら接着剤を塗布することを特徴とする請求項１から請求項４のいずれか一つに記載の床材の施工方法。
【請求項６】
床材の梱包を長手方向の雌実側を上向きに平面側に立てかけ、立てかけ後に梱包の少なくとも雌実部分を開放するように開梱し、立てかけ状態のまま接着剤を雌実に塗布することを特徴とする請求項１から請求項５のいずれか一つに記載の床材の施工方法。
【発明の詳細な説明】
【技術分野】
【０００１】
本発明は、一般住宅や集合住宅に施工される実接着により施工される床材の施工方法に関するものである。
【背景技術】
【０００２】
床材の施工方法として一般的なのは、根太施工などにおける床材の釘施工や、床材の裏面全体を接着剤で基礎床上に貼着施工する接着剤施工、及びこれらの組み合わせ施工であり、適宜選択して用いられている。また一方で、床材の実部分を通しての水の浸透を防止するために、これら実結合部分への接着剤塗布による浸透防止なども行われている。
【０００３】
また最近のリフォームにおいては、既存の床材上に新床材を重ね貼りすると、例えばスイングドアの下端面と床面とのクリアランスが取りにくくなるため、既存の床材を一旦剥がしてから新床材を施工することが望まれるが、上述のような施工方法を行っていると、既存の床材を剥がすこともままならず、労力と剥がし後の補修が必要な点でリフォームしづらいものであった。
【０００４】
そのため床材を実接着のみで行い、床材を基礎床に釘や接着剤などで固着することなく、床材どうしをずらしながら実接着することで簡単に床材施工ができ、また剥がしやすい床材の施工方法が提案されている。（例えば特許文献１など）
しかしながら床材は一般に長尺で可撓性を有するため、１枚の床材の実部（通常は雌実）に実施工用の接着剤を全長に亘って塗布しようとすると、床材が撓み、実部分が蛇行するため接着剤が非常に塗りにくく、また支えにくいものであるため作業しづらかった。また一部屋に床材を何枚も用いる必要があるため、実接着が行いづらく、例えば接着剤の量が足りないなど接着不良個所が発生しやすく、施工ムラが生じやすいものであった。
【特許文献１】特開平５−３３１９９４号公報
【発明の開示】
【発明が解決しようとする課題】
【０００５】
本願発明は、上記背景技術に鑑みて発明されたものであり、その課題は、接着剤の塗布がしやすく、一定の施工品質を有する実接着構造を実現可能とする床材の施工方法を提供することである。
【課題を解決するための手段】
【０００６】
上記課題を解決するために、請求項１に係る本願発明では、長板状の床材に設けられた実どうしを接着接合する実接着施工用床材の施工方法において、床材の長手方向の雌実を上側に向け、床材の表面又は裏面の平面を合わせ複数枚重ね、平面側に全体を傾斜させた状態でこれら床材を保持し、次いで雌実に接着剤を塗布し、隣接床材に実どうしを接着接合することを特徴とする床材の施工方法としている。
【０００７】
また請求項２に係る本願発明では上記に加え、接着剤の塗布部位を、雌実の内壁のうち、上方に向いている側の内壁としたことを特徴としている。
【０００８】
また請求項３に係る本願発明では上記に加え、接着剤の塗布部位を、雌実の内壁のうち、下方に向いている側の内壁としたことを特徴としている。
【０００９】
また請求項４に係る本願発明では上記に加え、接着剤の塗布後、床材を反対側に傾斜させることを特徴としている。
【００１０】
また請求項５に係る本願発明では上記に加え、接着剤の塗布時に、接着剤が充填された接着容器の先端塗布口側面を、雌実の先端部分に当接させながら接着剤を塗布することを特徴としている。
【００１１】
また請求項６に係る本願発明では上記に加え、床材の梱包を長手方向の雌実側を上向きに平面側に立てかけ、立てかけ後に梱包の少なくとも雌実部分を開放するように開梱し、立てかけ状態のまま接着剤を雌実に塗布することを特徴としている。
【発明の効果】
【００１２】
上記請求項１に係る本願発明の床材の施工方法においては、床材を、実接着用の接着剤を充填する雌実を上側に、重ねた状態で傾斜をさせて保持していることで、一番下側に位置する床材は、上側の床材による荷重によって、撓むことなく雌実を略一直線状にされ、上側の床材は、この一番下側の床材がまっすぐに保持されることで、併せてまっすぐ保持され、床材全体が全て、雌実を略一直線状にすることができ、したがって接着剤の塗布を簡単に、確実に行うことができ、一定の施工品質を実現することが容易である。
【００１３】
上記請求項２または請求項３に係る本願発明の床材の施工方法においてはさらに、接着剤を床材の傾斜を利用して、雌実の底部分だけでなく、側壁部分にかかる様に接着剤を広く塗布することが可能となる。
【００１４】
上記請求項４に係る本願発明の床材の施工方法においてはさらに、床材を反対側に傾斜させることで、接着剤のついていない側の雌実側壁部分にまで、接着剤を必要以上に使うことなく、広く簡単に接着剤を塗布することができる。
【００１５】
上記請求項５に係る本願発明の床材の施工方法においてはさらに、接着容器の位置を一定に保ったまま接着剤の充填をすることができるので、接着剤の塗布量を簡単に一定にしながら塗布することができ、施工後に接着剤が必要以上に溢れるおそれをなくすことが可能となる。
【００１６】
上記請求項６に係る本願発明の床材の施工方法においてはさらに、梱包をそのまま床材の保護材として活用しながら接着剤の塗布をすることができるので、基礎床上に床材を施工するまで、床材に傷がつかないようにすることが可能となる。
【発明を実施するための最良の形態】
【００１７】
本願発明の最良の形態を図１に示される以下の実施例にて説明する。
【００１８】
本実施例の施工方法は、長板状の床材３に設けられた実どうしを接着接合する実接着施工用床材の施工方法において、床材３の長手方向の雌実３１を上側に向け、床材３の表面又は裏面の平面を合わせ複数枚重ね、平面側に全体を傾斜させた状態でこれら床材３を保持し、次いで雌実３１に接着剤４を塗布し、隣接床材に実どうしを接着接合している。このように傾斜させることで、床材３が可撓性を有していても（通常は、短手方向の裏溝を並設していなくても撓むおそれが高い）、一番下側に位置する床材３が、その上側に重なる床材３の荷重により、その上側を向いた雌実３１部分が略一直線状になるようまっすぐ保持され、残りの床材３全てもこれに倣って全ての床材３の上側を向いた雌実３１部分を略一直線状にすることができ、該雌実３１部分に塗布される接着剤４を、簡単に塗布することができ、実接着施工において実結合部を所定の接着剤量で接着することができ、一定の施工品質を実現することができる。
【００１９】
そして接着剤４の塗布部位４１を、雌実３１の内壁のうち、上方に向いている側の内壁としている。さらには、より雌実３１の開放先端に近い側に塗布している。このようにすると、床材３の傾斜を利用して接着剤４を流れさせることができるので、より広い範囲に接着剤４を塗布することができる。なお、雌実３１の開放先端部分に接着剤４を塗布する場合には、床材３の表面又は裏面に接着剤がつかないように留意したほうが望ましい。なお、接着剤４の塗布順番は特に定める必要は無い。
【００２０】
なお、接着剤４の塗布位置（接着剤４を直接塗る部位）は、施工状態で床材３表面側の実結合部分を接着剤４で確実に隙間を埋めつつ接着するほうが望ましいことから、床材３の表面側の雌実３１の内壁を塗布位置とするほうがよい。また塗布量は、目安として実結合時に、ところどころ米粒程度の大きさの接着剤４の染み出しがある程度であれば、望ましいと考えられる。勿論、すぐに接着剤４をふき取らなければならない。また、床材３の裏面側部分への適正と考えられる接着剤塗布量として、例えば表側と同様に、実結合部分から若干量の接着剤が染みだし、部分的に基礎床につくことが、床材３の移動制限という点から望ましく、また床材３裏面側からの湿気進入防止という観点からも望ましい。もちろん、このような接着剤の量に本発明が限定されることは無い。なお基礎床として、根太上に捨て貼り下地材を設けたもの、コンクリートスラブ、いわゆる二重床と呼ばれる浮床などが該当する。
【００２１】
以下、図１をもとに施工手順を説明する。なお、本図では雌実３１に接着剤４を塗布する手順だけを示しているが、接着剤４塗布後、床材３をそれぞれ、既に基礎床上に固定されている別の床材３の雄実３２（通常、貼り始めは雌実３１側を壁際に向けるように行う）に向け、一旦基礎床上に床材３を仮置きし、位置合わせをし、基礎床上をずらせながら該床材３の雌実３１を雄実３２に被せるように押し込むことで行われる。これを繰り返し行うことで、施工場所全体に床材３を施工することができる。
【００２２】
図１（ａ）は、後述する実接着施工用に用いられる施工冶具２を、床材３の長さに応じて間隔を調整し、床材３を梱包状態のまま該施工冶具２上に載置することを示している。本実施例では次に、梱包状態のまま床材３全体を傾け、図１（ｂ）に示すように、床剤梱包  内にある全ての床材３が、その表面又は裏面側のいずれかが下側を向くように傾斜させている。この状態で梱包を解いて図１（ｃ）の様に床材３を立てかけている。もちろん、図３（ａ）に示されるような一般的な梱包状態の場合、床材梱包１ごと施工冶具２上に載置すると開梱しにくいので、例えば図１（ａ）、（ｂ）の手順を飛ばし、床材３を一枚ずつ施工冶具２上に載置していく方法であっても構わない。また梱包の仕方によっては、床材３の向きが実の方向を揃えていない場合があるが、例えば施工冶具２上にて実方向を揃える手順を入れてもよい。
【００２３】
次いで図１（ｄ）では、接着剤４を入れた接着容器５を、床材３の傾斜方向と逆の方向側から各床材３の雌実３１内に接着剤４を塗布していく状態を示している。この場合は雌実３１の上を向いた側の内壁を狙って塗布している。用いられる接着剤４は、床材３の施工用として従前から用いられているものを用いるが、速乾性のものや浸透性のよいものなどは適さず、流動性があり、硬化までに時間のかかるものが、接着剤４塗布から基礎床上への載置までに時間がかかることを考えるとより望ましいといえる。なお、本図及び他の図において接着剤４の塗布部位４１をそれぞれ示しているが、実際には図示のように平面状に接着剤が設けられるのではなく、最下部部分が盛り上がって接着剤４は溜まることになり、その他の塗布部位４１では平面状に塗布されることになる。
【００２４】
そして接着剤４を塗布する際には、接着剤４が充填された接着容器５の先端塗布口５１側面を、雌実３１の先端部分に当接させながら接着剤４を塗布することが望ましい。一般に６尺（約１８００ｍｍ）にもわたる長い距離を一定に状態で接着剤４を塗布していくことは難しいが、このようにすることで接着容器５の位置を一定に保つことができ、接着剤４の塗布位置を一定にできるとともに、接着容器５からの接着剤４押出し量も略一定に保ちやすくなり、実接着施工の施工品質を左右する接着剤４の塗布量をコントロールすることができる。なお、床材３の傾斜状態での保持高さは、作業のしやすさを考慮すると、接着剤塗布者の腰から胸の辺りに雌実３１の位置が来るようにすると、中腰で接着容器５の傾きを一定に、カンナ引きのような姿勢で塗布することができ作業しやすい。なお、部分的に接着剤４の塗布量が変動することがあってもよい。これは実結合時に接着剤４が押し込まれ、雌実３１の奥だけでなく雌実３１形成方向にも接着剤４が移動するからである。
【００２５】
そして接着剤４の流動性にもよるが、塗布された状態でしばらく置くと、図１（ｅ）に、雌実３１の拡大状態図と供に示すように、雌実３１の内壁を伝って一番下の部分に溜まる。その際に接着剤４の流動に伴い雌実３１の内壁部分に接着剤４が塗布されることになる。
【００２６】
そして図１（ｅ）で矢印で示されるように、雌実３１に接着剤４を塗布した状態で床材３を反対側方向に傾斜するように移動させることを行う。このように移動させた後の状態を図１（ｆ）に示す。このようにすることで同図の雌実３１の拡大状態図に示すように、接着剤４の塗布部位をより広くすることができる。
【００２７】
なお、床材３の短手端部にも同様に実が形成されている場合には、このままの状態で短手方向の雌実に接着剤４を塗布する。これは通常長手方向には大きく撓むおそれがあるが、短手方向には撓むおそれが殆ど無いという点、長さもそれほどではない点から、特に縦横を入れ替えて立て替えることは行わない。また、この部位の雌実には特に上記説明のような接着剤４の塗布は行わなくてもよく、雌実の最奥部分に接着剤４を充填する従来からの塗布方法で行ってもよい。
【００２８】
なお、本実施例では床材３を反対側に傾斜させた状態で保持しているが、反対側に傾斜させ保持するものだけでなく、例えば床材３を施工場所に移動させるために持つ際に、一旦反対側に傾斜させてから持つ場合であってもよい。その際に接着剤が移動することを確認してから持つことがより望ましい。
【００２９】
なお、本実施例では図１（ｃ）に示したように梱包を全て取り去っているが、例えば床材梱包１を長手方向の雌実側を上向きに平面側に立てかけ、立てかけ後に梱包の少なくとも雌実部分を開放するように開梱し、立てかけ状態のまま接着剤４を雌実に塗布してもよい。具体的には、接着剤４塗布部位となる雌実部分に当たる梱包の部分だけを取り外す、又は開ける場合が考えられる。この場合には、接着剤４の塗布時には特に関係の無い床材３の表裏面部分に接着剤４が付くおそれを少なくすることができ、また床材３の表面に何らかの傷が付くおそれも少なくすることができる。
【００３０】
なお、このようなことを可能とする梱包の仕方として、例えば図３（ｂ）に示されるような梱包方法が考えられる。この梱包方法は、床材３を、床材３の雄実３２方向を下側にして断面が上を開放した略コ字状の梱包材１２上に載置し、雌実３１側にはこれを覆うように、断面が下に開放した略コ字状の別の梱包材１２を被せ、結束バンド１４で全体を縛るとともに、開放端部を箱型の端部梱包材１３を被せることで梱包を行う。勿論、同図（ａ）のような一般的な梱包であっても、例えば側面を切除し、開放することで行うことも可能であるが、床材３の表面側に切り傷を付けるおそれがあり、あまり望ましくない。予めミシン目など簡単に切除できる工夫をしておくことが望ましいといえる。
【００３１】
なお、図３（ａ）に示される一般的な床材梱包１であっても、本願発明の適用には問題が無い。すなわち、例えば床材梱包１内の床材３の表面又は裏面に面した開平蓋１１を開け、内部の床材３を１枚ずつ取り出し施工冶具２に載置していってもよいし、施工冶具２上で傷が付かないように床材梱包１を切除し開梱してもよいのである。
【００３２】
そしてこの床材梱包１全体を施工冶具２上に載置した後、結束バンド１４を切断し、端部梱包材１３を取り、雌実３１側の梱包材１２を取ることで、簡単に接着剤４を塗布する雌実３１だけを露出することができる。なお、床材梱包１中に実の向きがそれぞれ逆向きに入っている場合には、適宜床材３を反転させて雌実３１が上を向くように実の向きをかえてやればよい。
【００３３】
ところで接着剤４の塗布位置、塗布方向は上記説明以外にも考えられる。図２（ａ）〜（ｃ）は代表的な方式を図示したものである。すなわち（ａ）は上記説明のとおりであり、（ｂ）は（ａ）とは逆方向から、接着剤４の塗布部位を、雌実３１の内壁のうち、下方に向いている側の内壁とした場合で接着容器５の先端塗布口５１側面を雌実３１の先端に摺らせながら接着剤４を塗布している例、（ｃ）は接着容器５をまっすぐ保持し、雌実３１にたらしながら（実際には先端塗布口５１を雌実３１内に挿入する場合が多い）塗布していく場合を示している。勿論、接着容器５の位置、作業者の立ち位置など作業者や、床材３の表裏面の方向に応じその他の方法など種々の態様が考えられる。例えば、接着容器５の傾きを雌実３１の伸びる方向に沿わせることも考えられる。
【００３４】
また例えば、通常接着剤４は接着容器５の先端に先細り形状の先端塗布口５１が形成されているが、上記説明ではこの先端塗布口５１の側面を雌実３１の先端部分に当接させる場合を示しているが、より安定性を増すために、先端塗布口５１の先端を雌実３１の内壁に当て、そして先端塗布口５１をまっすぐ雌実３１の内壁に当てるのではなく、若干傾け、先端塗布口５１に形成されている開口（図示せず）を全て塞がないようにしながら接着容器５を動かしてもよい。
【００３５】
なお床材３を傾斜させているので、下側の床材３の方が雌実３１部分が飛び出て保持される。したがって、図２（ａ）に示すように接着容器５を傾け、一番上の床材３の側から上向きの雌実３１の内壁に接着剤４を塗布するようにすれば作業しやすい。また図２（ｂ）のように傾ければ、例えば接着剤４塗布中に手元が狂っても、隣の床材３の表面又は裏面に接着剤がつきにくい。勿論、速乾性の接着剤４ではないので、付着した場合すぐにふき取れば問題は無い。
【００３６】
なお、上記本願発明では施工冶具２を用い床材３を立てかける例を説明してきたが、本願発明の趣旨を実現するためには、例えば壁際に立てかける方法で床材３を傾斜保持してもよい。この場合には、上記施工方法と比べて、一番下側の床材３が、雌実３１の略全長にわたって同一平面内で保持されることになるので、より略直線状に保持されることになる。
【００３７】
なお、このように床材３を傾けて、床材３の撓みを無くしてから接着剤４を塗布する方法のほかに、床材３をその表面又は裏面いずれかを下側に載置し、その状態で雌実に接着剤４を塗布する方法が考えられる。この場合にも簡単に雌実３１の一直線化が図られるが、載置場所の不陸状態、異物の有無の確認などが必要となり、また雌実３１の底部分に塗布しにくいなどの問題点がある。この場合には、実形状を工夫し、例えば実結合時に雄実３２の先端部分で接着剤４を雌実３１の底部分に押し込みながら雌実３１の内側全体に接着剤４が行き渡るようにすることが必要と考えられる。なお、上記本願発明と同様の趣旨で、実際に床施工に用いる前に、床材３を持ち上げる際に接着剤４が雌実３１の内部を流動するようにしてもよい。
【００３８】
次に本実施例で用いた施工冶具２について図４をもとに説明する。
【００３９】
本施工冶具２は、床材の長さが６尺以上の長尺のものもあれば３尺などの短尺のものもあり、長さがまちまちなものを同じ施工現場において使うことがある点、及び複数枚の床材３を同時に保持するためにある程度の強度が必要であるが、重量物を施工現場に移送しにくい点に基づいて設計されている。
【００４０】
すなわち本施工冶具２は、同図（ａ）に示されるように、断面略コ字状に上方に開口した床材保持部２１を有する実接着用の施工用治具  であって、床材保持部２１の底面に床材３を載置し、床材保持部２１の一方側の内側面に立てかけ可能なように、該床材保持部２１の開口巾を形成した施工用治具  であり、これを図１などで説明したように、複数個組み合わせて用いている。もちろん、床材保持部２１が一つで床材３全体を保持できるような大きさで、施工冶具２を一つだけで用いる場合も考えられるが、床材３長手方向のバランスが取りにくい点、重量が重くなり、運搬に支障をきたす点など不具合も出てくるため、通常は複数個を組で用いる。
【００４１】
さらに床材保持部２１は、同図（ｂ）に（ａ）のＣ部分を拡大して示すように、先端部分が外側に開き傾斜部２３として形成され、床材３を入れやすくなっている。また床材保持部２１の内面には、床材３を梱包なしに置いたとしても傷が付かないように、弾性ゴム２４を設けている。
【００４２】
そしてさらに運搬しやすいように、棒体の先端に脱着可能に床材保持部２１が形成され、さらに他端にも同様に脱着可能なように床面支持台部２２を形成している。勿論床材保持部２１は溶着などで棒体に固定されていてもよい。なお、この床面支持台部２２は、図示のように十字状に形成されているとともに、特に図示していないが縦横に分解可能になっていて、組み合わせて十字状にしている。さらにこの床面支持台部２２は、同図（ｃ）に（ａ）のＣ部分を拡大して示すように、置かれる床面（通常は不陸状態である）の影響を受けにくくするために、下面の周縁部分にリブが形成され、床面との接触を面でなく線状としている。もちろん単なる板材により形成し、面で床面と接触するものでも構わない。なお、安定性を考慮すると、少なくとも床面支持台部２２の先端部分が床面と接触するようにしておくことが望ましい。
【００４３】
なお棒体は例えばアルミの中空棒状体で、本施工冶具２では略コ字状断面のステンレスの板材を図示のようにコ字状に溶接し床材保持部２１とし、これを棒体の先端に溶着して一体にしている。そしてステンレス製の床面支持台部２２を棒体の他端にネジで固定することで、軽量化と運搬性を向上させている。
【００４４】
なお、床面支持台部２２の大きさは、床材３の短手方向の巾寸法が、一般には約３００ｍｍのものが多いことを考慮し、それぞれ内寸で、高さが傾斜部２３の下側までで約１５０ｍｍ、奥行きが約１００ｍｍとし、巾は約５０ｍｍとしている。これを棒体の長さを約６００ｍｍとして作業性を考慮したものとしている。そして床面支持台部２２は全体の安定性を考慮し、約３００ｍｍ四方の十字状としている。
【００４５】
ところで、先に述べた梱包方法は、次のような方法により行われる。すなわち、実接着施工に用いられる、長板状で少なくとも対向する長辺にそれぞれ雄実３２と雌実３１とが形成された実接着施工用の床材３の梱包方法であって、複数枚の床材３を、その雌実３１の向きを揃え床材梱包１内に収容するとともに、該床材梱包１の、床材３の長辺雌実部分と対応する部分を開放可能にした実接着施工用の床材３の梱包方法である。これは図３（ｂ）に示されるような床材梱包１を用いることで行われる。
【００４６】
また、図５（ａ）には、その他の床材梱包１の例として、床材梱包１の、床材長辺雌実部分と対応する部分を開放蓋部１５としたものが示されている。これは箱状の床材梱包１の、床材３の平面と向かい合う床材梱包１の平面のうち一方側面の途中部分から、床材３の長手方向に形成されている雌実３１と向かい合う面までを開放蓋部１５としていて、ここでは該開放蓋部１５は、開梱時に床材梱包１の開放蓋部１５形成用に予め入れておいたミシン目などの分離手段を用い、開放蓋部１５を図示のように雌実３１を露出するように開放させる。このように開放蓋部１５を床材３の平面部分を一部露出する形で設けたことで、床材３の平面部分に傷が付くのを防止しながら、実接着用の接着剤４を充填することが容易にできる。また、開放蓋部１５が分離されずに残っている場合には、接着剤４充填後に、再度開放蓋部１５を元の状態に戻すようにして雌実３１の上側を覆うようにしておけば、接着剤４の硬化を遅らせることや、施工現場などで不用意に雌実３１部分を触るなどして床材３の表面又は裏面を汚すおそれがなくなる。なお、図では床材３の短手部分と対向する床材梱包１の側端面１６も開放できるようになっている。
【００４７】
次に同じく図５（ｂ）に、さらに別の床材梱包１の例が示されている。これは床材梱包１を、いわゆる上箱１８、下箱１７に分離させ、上箱１８が床材３の長手方向辺に形成されている雌実３１を被装するように用いられている。この場合、床材３全体を傾ける場合には、下箱１７全体を傾けるため、ある程度大きく傾け、途中で元に戻らないようにすることが望ましい。
【００４８】
なお、本発明において例示したいずれの床材梱包１を用いた場合にも、一番端に位置する床材３を、表面を隣接する床材側に向け床材梱包１内に収容させることを行うことが望ましい。これは、接着剤４を床材３に塗布する際に、床材梱包１の一部を取り去り床材３の一部又は全部が露出した際に、床材３の表面に傷が付きにくくするためである。また、床材３の裏面側に、ホルムアルデヒドなどの化学物質吸着剤を予め塗布しておく場合には、隣接する床材３の表面が汚染されないように、裏面と裏面、表面と表面とをそれぞれ合わせるように梱包していくとよい。
【図面の簡単な説明】
【００４９】
【図１】本願発明の一実施形態である床材の施工方法を示す施工手順図で、（ａ）〜（ｆ）に分けて示している。
【図２】雌実への接着剤塗布方法の例を複数示した概略図である。
【図３】本願発明に用いられる床材梱包の例である。
【図４】本願発明に用いられる施工冶具の例を示した斜視図及び拡大図である。
【図５】本願発明に用いられる床材梱包のその他の例である。
【符号の説明】
【００５０】
１  床材梱包
１１  開平蓋
１２  梱包材
１３  端部梱包材
１４  結束バンド
１５  開放蓋部
１６  側端面
１７  下箱
１８  上箱
２  施工冶具
２１  床材保持部
２２  床面支持台部
２３  傾斜部
２４  弾性ゴム
３  床材
３１  雌実
３２  雄実
４  接着剤
４１  塗布部位
５  接着容器
５１  先端塗布口
６  補強材
【図１】
2006118284.tif 000003
【図２】
2006118284.tif 000004
【図３】
2006118284.tif 000005
【図４】
2006118284.tif 000006
【図５】
2006118284.tif 000007